(57)【要約】【課題】灯具の灯具ホルダーへの取付け状態の保持をばねで担うにも拘らず、振動等で灯具ホルダーから灯具が外れ落ちる恐れがない照明装置を提供する。【解決手段】灯具ホルダー２は上下の通孔6,11の周りにばね受け部10を備え、受け部10は、押上げストッパ15及び落ち止めストッパ16を有する。灯具21は、ばね取付け部25を有した灯具下端部21aを通孔に上方から挿入してホルダー２に取外し可能に保持される。係止ばね31は、取付け部25に取付けられて受け部10に着脱されるとともに、ストッパ16に下方から受止められる当接部33とばね部34を含んでいる。ばね部10は、操作端部35とこの下側に形成された係止部36を有する。係止部36は、ストッパ15を下方に乗り越えながらばね部を弾性変形させる斜状部位36aと、この部位の上端から鋭角に折れ曲がって操作端部に連続する引っ掛かり部位36bを有する。この部位36bは、ばね31が受け部10に保持された状態で押上げストッパ15に下方から引掛かり可能に対向配置される。【選択図】      図４
2007335316.tif 000002
【特許請求の範囲】
【請求項１】
上下方向に貫通する通孔及びこの通孔の周りに設けられた一対のばね受け部を備え、かつ、前記ばね受け部が押上げストッパ及びこのストッパの下方に位置する落ち止めストッパを有してなる灯具ホルダーと；
一対のばね取付け部を有した灯具下端部を前記通孔に上方から挿入して前記灯具ホルダーに取外し可能に保持された灯具と；
前記ばね取付け部の夫々に前記灯具に取付けられて前記ばね受け部に着脱される係止ばねと；
を具備し、
前記係止ばねが、前記ばね受け部に保持された状態で前記落ち止めストッパに下方から受止められる当接部、及びこの当接部を中心に弾性変形可能なばね部を含んでおり、かつ、前記ばね部は、前記係止ばねが前記ばね受け部に保持された状態で前記ばね受け部の上方に突出される操作端部とこの操作端部の下側に位置して折り曲げ形成された係止部を有し、
前記係止部は、前記灯具下端部が前記通孔に上方から挿入される時に前記押上げストッパを下方に乗り越えるように前記ばね部を弾性変形させる斜状部位と、この斜状部位の上端から鋭角に折れ曲がって前記操作端部に連続し、かつ、前記係止ばねが前記ばね受け部に保持された状態で前記押上げストッパに下方から引っ掛かり可能に対向配置される引っ掛かり部位を有していることを特徴とする照明装置。
【請求項２】
前記斜状部位に対して逆に傾いた逆傾斜部位を介して前記引っ掛かり部位と前記操作端部とが連続しており、前記係止ばねが前記ばね受け部に保持された状態で、前記逆傾斜部位と操作端部とがなす角が前記押上げストッパに係合されて前記引っ掛かり部位と前記押上げストッパとの間にギャップが形成されるとともに、このギャップが、前記操作端部を操作した時に前記押上げストッパに前記引っ掛かり部位が当たらないように設定されていることを特徴とする請求項１に記載の照明装置。
【発明の詳細な説明】
【技術分野】
【０００１】
本発明は、例えば展示スペースや店舗の天井等に埋め込み設置されて、下方の被照射物を照明する照明装置に係り、特に、所望の配光を得る灯具が天井等に設置された灯具ホルダーに対して係止ばねを介して着脱可能に保持された照明装置に関する。
【背景技術】
【０００２】
従来、天井に取付けられた天井埋込部（灯具ホルダー）に、灯体ユニット（灯具）を弾性係合手段により交換可能に取付けた天井埋込灯が知られている（例えば、特許文献１参照。）。
【０００３】
この技術では、弾性係合手段が、ガイド兼操作部を有して天井埋込部に取付けられた一対のバネ体と、灯体ユニットを傾動可能に支持したリング体に設けられた一対の突起とから形成されている。突起が四角形状の嵌合突起で形成される場合、この嵌合突起が嵌合される四角形状の嵌合凹部がバネ体に形成されている。又、突起がその両側に腕部を有して略長方形状に形成される場合、その腕部と係合されるバネ体の板バネ部は、くの字状に形成されている。
【０００４】
この弾性係合手段を備えることにより、天井に既に取付けられている天井埋込部にその下方から灯体ユニットを押上げることで、一対の突起を対応する位置の一対のバネ体に引掛けて灯体ユニットを天井埋込部に保持させることができる。この逆に、ガイド兼操作部を操作してバネ体を弾性変形させて突起から外すことにより、灯体ユニットを天井埋込部から外すことができる。
【０００５】
したがって、特許文献1の技術では、天井埋込部を天井に設置したままの状態で灯体ユニットを後付けでき、あるいは交換ができる。又、灯体ユニットは、天井埋込部に保持された状態において、所望方向への光照射をするために下側から操作して任意角度傾斜させることができる。
【特許文献１】実用新案登録第３０６６８３４号公報（実用新案登録請求の範囲、段落0009〜0367、図１〜図３５）
【発明の開示】
【発明が解決しようとする課題】
【０００６】
特許文献1の技術では、天井埋込部にその下方から灯体ユニットを押し込んで、この灯体ユニットを弾性係合手段で取付けており、この取付け状態を弾性係合手段のみで保持している。そのために、地震時等において加わる振動等で弾性変形手段のバネ体が弾性変形するに伴い、灯体ユニットが外れ落ちる恐れが考えられる。
【０００７】
本発明の目的は、灯具の灯具ホルダーへの取付け状態の保持を係止ばねで担うにも拘らず、振動等で灯具ホルダーから灯具が外れ落ちる恐れがない照明装置を提供することにある。
【課題を解決するための手段】
【０００８】
請求項１の発明は、上下方向に貫通する通孔及びこの通孔の周りに設けられた一対のばね受け部を備え、かつ、前記ばね受け部が押上げストッパ及びこのストッパの下方に位置する落ち止めストッパを有してなる灯具ホルダーと；一対のばね取付け部を有した灯具下端部を前記通孔に上方から挿入して前記灯具ホルダーに取外し可能に保持された灯具と；前記ばね取付け部の夫々に取付けられて前記ばね受け部に着脱される係止ばねと；を具備し、
前記係止ばねが、前記ばね受け部に保持された状態で前記落ち止めストッパに下方から受止められる当接部、及びこの当接部を中心に弾性変形可能なばね部を含んでおり、かつ、前記ばね部は、前記係止ばねが前記ばね受け部に保持された状態で前記ばね受け部の上方に突出される操作端部とこの操作端部の下側に位置して折り曲げ形成された係止部を有し、前記係止部は、前記灯具下端部が前記通孔に上方から挿入される時に前記押上げストッパを下方に乗り越えるように前記ばね部を弾性変形させる斜状部位と、この斜状部位の上端から鋭角に折れ曲がって前記操作端部に連続し、かつ、前記係止ばねが前記ばね受け部に保持された状態で前記押上げストッパに下方から引っ掛かり可能に対向して配置される引っ掛かり部位を有していることを特徴としている。
【０００９】
請求項1の発明で、灯具ホルダーは、ホルダー本体に取付けられて、垂直軸周りに灯具を回転させて、この灯具の灯具ホルダーに対する位置を変えるために回転部材を備えていてもいなくても良い。灯具ホルダーが回転部材を備える場合、この回転部材に通孔及びばね受け部が設けられる。回転部材を備えない場合には、ホルダー本体からなる灯具ホルダーに通孔及びばね受け部が設けられる。又、請求項１の発明で、灯具は、傾き調節ができても、できなくても良い。請求項1の発明で、灯具ホルダーは、少なくとも1個の灯具を取付けるものであり、２以上の灯具を取付ける場合、灯具には、光源、配光特性、或いは照射される光の色等が同じ又は異なる灯具を任意に選択して用いることができる。請求項1の発明で、係止ばねは、金属製の板ばね又は線ばねで作ることができる。請求項1の発明で、係止部の引っ掛かり部位は、灯具が押上げ力を受けた際に灯具ホルダーの押上げストッパに下方から引っ掛かって、その引っ掛かり状態が維持されるものであって、係止ばねがばね受け部に保持された状態でほぼ水平状態となる構成の引っ掛かり部位が好ましいが、斜状部位との間の作る角度が直角より小さい角(鋭角)を作る引っ掛かり部位であればほぼ水平状態でなくてもよい。そして、前記鋭角の角度は例えば４５°〜６５°が好ましい。この理由は、前記角度が６５°を超えて直角に近い角度になるほど、灯具が押上げ力を受けて引っ掛かり部位が押上げストッパに下方から引っ掛かった場合に、この引っ掛かりを外す分力が大きく生じ易くなるからであり、又、前記角度が４５°未満になると、特にばね部材が金属製である場合その折り曲げ加工が困難化するからである。
【００１０】
この請求項1の発明で、灯具を灯具ホルダーに取付けるには、灯具ホルダーの一対のばね受け部に灯具の下端部に取付けられた係止ばねを上方から対向させて、灯具の下端部を灯具ホルダーの通孔に上方から挿入させれば良い。それにより、係止ばねのばね部に形成された係止部の斜状部位が押上げストッパと接触しつつ下降するに伴い、ばね部を弾性変形させながら係止部が押上げストッパを下方に乗り越える。その直後に、係止ばねの当接部が灯具ホルダーの落ち止めストッパに上方から当たって受止められると同時に、ばね部が弾性復帰してその係止部の引っ掛かり部位が押上げストッパの直下に対向配置されて、灯具が灯具ホルダーに取付けられる。
【００１１】
このように灯具ホルダーの通孔に上方から挿入された灯具が係止ばねを介して灯具ホルダーに保持されているので、地震時等に灯具に上向きの力が作用して灯具が上昇した場合、直ちに係止部の引っ掛かり部位が灯具ホルダーの押上げストッパに下方から引っ掛かる。それにより、押上げストッパから引っ掛かり部位が外れることを許す方向への係止ばねのばね部の弾性変形が妨げられて、係止ばねにより灯具が灯具ホルダーに取付けられた状態が維持される。更に、万が一、係止ばねによる灯具の灯具ホルダーへの取付け状態が解消された場合でも、この直後に灯具が落下しようとするに伴い、再度、係止ばねの当接部が灯具ホルダーの落ち止めストッパに上方から当たって受止められる蓋然性が高い。したがって、灯具が灯具ホルダーの通孔を通って脱落する恐れがない。
【００１２】
そして、既述のように灯具は若干上昇するも、それ以上、上方に押し動かされることがなく、灯具の灯具ホルダーへの取付け状態は安定する。このため、例えば、灯具ホルダーに対して灯具が傾けることが可能に取り付けられている場合に、灯具の傾き操作を容易にできる。
【００１３】
又、灯具を灯具ホルダーから取外す必要がある場合には、ばね受け部の押上げストッパよりも上方に突出されている一対の係止ばねの操作端部を、これらが互いに近づく方向に操作することに伴い、係止部の引っ掛かり部位を押上げストッパから外すことができる。したがって、引き続いて灯具を引き上げることにより、灯具を灯具ホルダーから外すことができる。
【００１４】
又、請求項２の発明は、前記斜状部位に対して逆に傾いた逆傾斜部位を介して前記引っ掛かり部位と前記操作端部とが連続しており、前記係止ばねが前記ばね受け部に保持された状態で、前記逆傾斜部位と操作端部とがなす角が前記押上げストッパに係合されて前記引っ掛かり部位と前記押上げストッパとの間にギャップが形成されるとともに、このギャップが、前記操作端部を操作した時に前記押上げストッパに前記引っ掛かり部位が当たらないように設定されていることを特徴としている。
【００１５】
この請求項２の発明では、灯具下端部を灯具ホルダーの通孔に上方から挿入して灯具を灯具ホルダーに取付けると、逆傾斜部位と操作端部とがなす角が、灯具ホルダーの押上げストッパに弾性的に引っ掛かる。このため、ばね部に形成された係止部の引っ掛かり部位と押上げストッパとの間にギャップがあるにも拘わらず、灯具をがたつかないように安定した状態に保持できる。又、前記ギャップの存在により、灯具をその上方に外す際のばね部の操作に伴い、引っ掛かり部位と斜状部位とがなす角が押上げストッパに引っ掛からないようにできる。
【発明の効果】
【００１６】
請求項１の発明によれば、灯具の灯具ホルダーへの取付け状態の保持を係止ばねで担うにも拘らず、振動等で灯具ホルダーから灯具が外れ落ちる恐れがない照明装置を提供できる。
【００１７】
請求項２の発明によれば、灯具のがたつきを抑制して灯具の灯具ホルダーへの取付け状態を安定させることができる照明装置を提供できる。
【発明を実施するための最良の形態】
【００１８】
図面を参照して本発明の一実施形態を説明する。
【００１９】
図１及び図２中符号１は天井埋め込み型の照明装置を示している。照明装置１は、金属製の灯具ホルダー２と、灯具２１と、係止ばね３１を具備している。
【００２０】
灯具ホルダー２は、例えば四角形具体的には長四角形の正面板３を有し、この正面板３の裏面に枠部材４が連結されている。枠部材４は、正面板３と平行に配置された枠天板４ａを有しているとともに、これら枠天板４ａと正面板３間の四つの側面は夫々開放されている。枠天板４ａには複数例えば二つのボルト通孔５が開口されている。
【００２１】
図２に示した建物の天井板Ａに形成した埋め込み孔Ｂに、天井板Ａの下方から枠部材４を上向きに挿入した状態で、ボルト通孔５に建物の図示しない天井スラブに固定された下向きの吊りボルト（図示しない）の下端部を上方から挿通させ、この下端部に枠天板４ａの下側から図示しないナットを螺合して締め付けることにより、灯具ホルダー２は建物の天井に埋め込み設置されている。この設置状態では、図２に示すように正面板３の周部裏面が天井板Ａに当接して引っ掛かる。
【００２２】
複数例えば図１に示すように３個の第１の通孔６が、正面板３の長手方向に並べて正面板３に開けられている。図２〜図５に示すように灯具ホルダー２は正面板３の裏面に回転部材７を備えている。回転部材７は、第１の通孔６と同数用いられて、正面板３の裏面に設けられた図示しないガイドによって所定位置に保持されつつこのガイドに沿って鉛直線周りに回転可能に支持されている。回転部材７の回転は例えば３５０°に規定されている。図３等において符号７ａは前記ガイドによって案内される円環状の被ガイド部を示している。回転部材７の上下方向に延びる中心軸線（図示しない）の延長線上に、この回転部材７の直下に位置された第１の通孔６の中心が位置されている。
【００２３】
図３に示すように回転部材７は、第１の円弧壁８と、第２の円弧壁９と、これら円弧壁８，９の円弧が延びる方向の端を一体に接続した一対のばね受け部１０を備えている。これら第１の円弧壁８、第２の円弧壁９、及び一対のばね受け部１０は、略円環状に連続していて、その内側空間により第２の通孔１１（図２及び図５参照）が形成されている。第２の通孔１１は第１の通孔６の真上に設けられ、これら上下方向に相連続する通孔６，１１によって灯具ホルダー２の通孔が形成されている。したがって、この灯具ホルダー２を上下方向に貫通する通孔の周りに一対のばね受け部１０が設けられ、これらばね受け部１０は略１８０度隔てて配置されている。
【００２４】
第１の円弧壁８の上端面８ａは後述する灯具を傾きがない状態に規制するための規制面として用いられている。第２の円弧壁９は、後述する灯具が傾けられた場合にこの灯具との干渉を防止する逃げ溝（図示しない）を有している。
【００２５】
一対のばね受け部１０は、回り止め１４、押上げストッパ１５、及び落ち止めストッパ１６を有して形成されている。
【００２６】
図３等に示すように回り止め１４は、灯具ホルダー２に対して係止ばね３１を回り止めするための部位であって、第１の円弧壁８及び第２の円弧壁９の円弧が延びる方向の端に夫々一体に形成されている。これら回り止め１４の高さは、第１の円弧壁８及び第２の円弧壁９よりも低い。
【００２７】
押上げストッパ１５は、灯具ホルダー２の周方向に対向する回り止め１４の上端部間にわたってブリッジ状に一体に設けられている。図５等に示すように押上げストッパ１５は、回り止め１４の厚み方向において第２の通孔１１から遠ざかって配置されている。第２の通孔１１に臨んだ押上げストッパ１５の裏面１５ａは垂直に近い角度で傾斜され、押上げストッパ１５の下面１５ｂは略水平面からなり、これら裏面１５ａと下面１５ｂとが挟む角１５ｃは直角に近い鋭角を形成している。
【００２８】
落ち止めストッパ１６は、灯具ホルダー２の周方向に対向する回り止め１４の下端部間にわたって一体に設けられている。落ち止めストッパ１６は上方から見た場合の押上げストッパ１５の投影領域に対して第２の通孔１１及び灯具２の外周面側にずれている。なお、図３中符号１０ａはばね受け部１０の開口を示している。この開口１０ａは、回り止め１４、押上げストッパ１５、及び落ち止めストッパ１６で囲まれて形成されている。開口１０ａはばね受け部１０への後述の係止ばね３１の係止状態を視認するための点検孔として利用できるが、この開口は省略しても良い。
【００２９】
灯具２１は、それに内蔵された光源２２から放射される光を下方に照射するものである。図２に示した光源２２はＨＩＤランプであり、同図２中符号２３は反射鏡を示し、符号２４は透光性の制光部材を示している。なお、光源２２がハロゲンランプである場合には、制光部材２４は省略できる。灯具２１は、天井に埋め込み固定された灯具ホルダー２に対して着脱可能な後付けされるものであり、そのために、外周面が略円形状をなす灯具下端部２１ａは、一対のばね取付け部２５を有している。これらばね取付け部２５は、例えばねじ穴で形成されているとともに、灯具下端部２１ａの周方向の略１８０°隔てられている。
【００３０】
図３に示すように灯具２１の上端部にはこれを覆って金属の規制部材２６がねじ止めされている。規制部材２６は第１の円弧壁８に向けて延びる規制板２６ａを一体に有しており、規制板２６ａの下端部に規制片２６ｃが折り曲げられている。灯具２１が灯具ホルダー２に対して垂直に立った姿勢となる位置では、規制片２６ｃが第１の円弧壁８の上端面８ａに上方から当接して、それ以上図３中矢印Ｃ方向に灯具２１が回転することを妨げるようになっている。又、灯具２１は図３中矢印Ｄ方向に回転可能である。
【００３１】
この矢印Ｃ，Ｄ方向の回転により灯具２の傾き調節がなされ、その傾きは、灯具２１が灯具ホルダー２に対して垂直に立った状態から灯具２が第２の円弧壁９に当たるまでの角度範囲で規定され、この角度範囲は例えば約４０度に設定されている
係止ばね３１は、例えば板ばねを曲げて作られており、図５及び図６等に示すように取付けベース３２、当接部３３、及びばね部３４を備えている。
【００３２】
取付けベース３２は取付け孔３２ａを有している。当接部３３は、取付けベース３２の下端部とばね部３４の下端部を一体に連続して、側面視略Ｕ字状に曲げられている。
【００３３】
ばね部３４は、当接部３３を支点として弾性変形する部分であって、取付けベース３２より長く、かつ、取付けベース３２に対向する四角形状の孔３４ａが形成されている。ばね部３４は、操作端部３５と係止部３６を含んでいる。
【００３４】
操作端部３５はばね部３４の孔３４ａの上部を囲む部位からなる。係止部３６は操作端部３５の下側に位置して孔３４ａの両側に夫々形成されている。係止部３６は、斜状部位３６ａ、引っ掛かり部位３６ｂ、及び逆傾斜部位３６ｃを有して側面視略Ｖ形状をなしている。
【００３５】
詳しくは、図６（ｂ）に示すように斜状部位３６ａは、孔３４ａの下部を囲むばね部３４の下部に対して鈍角αをなして折れ曲がって取付けベース３２から離れる方向に斜め上向きに突出する部位である。引っ掛かり部位３６ｂは、斜状部位３６ａの上端から取付けベース３２方向に折れ曲がった部位であり、この引っ掛かり部位３６ｂと斜状部位３６ａとが挟む角βは鋭角である。したがって、引っ掛かり部位３６ｂは斜状部位３６ａの鋭角に折れ曲がっている。逆傾斜部位３６ｃは、引っ掛かり部位３６ｂと操作端部３５を連続する部位である。逆傾斜部位３６ｃは斜状部位３６ａに対して逆に傾けられて、引っ掛かり部位３６ｂから折れ曲がっているとともに、操作端部３５に対しても折れ曲がっている。図６（ｂ）中符号γは逆傾斜部位３６ｃと操作端部３５とがなす角を示している。
【００３６】
前記構成の係止ばね３１は、取付け具例えばばね取付け部２５にねじ込まれるねじ４１を用いて灯具下端部２１ａの外周に取付けられている。つまり、孔３４ａに通されたねじ４１のねじ軸に、図５に示すようにスペーサリング４２、第１の摩擦リング４３、取付けベース３２の取付け孔３２ａ、及び第２の摩擦リング４４を順次嵌合してから、このねじ軸をばね取付け部２５にねじ込むことによって、一対の係止ばね３１が取付けられている。
【００３７】
この取付けにより係止ばね３１の取付けベース３２は第１の摩擦リング４３と第２の摩擦リング４４間に挟まれて、適度の摩擦力を与えられている。図５に示されるように灯具２１が灯具ホルダー２から離れている状態等において、前記摩擦力より大きな外力を灯具２１又は係止ばね３１に対してねじ４１の軸線周りに沿って与える場合には、灯具２１と係止ばね３１とは相対回転が可能である。したがって、ねじ４１は枢軸を兼ねている。又、前記外力が消失すると、相対回転した位置に灯具２１等が前記摩擦力で静止した状態に保持されるようになっている。
【００３８】
以上のように取付け具としてのねじ４１を用いて灯具２１に取付けられた一対の係止ばね３１と、灯具２１と、ねじ４１は、灯具ホルダー２に着脱可能な灯具ユニットを構成している。次に、この灯具ユニットを灯具ホルダー２に着脱する手順を説明する。
【００３９】
まず、灯具ユニットを、灯具ホルダー２の側面開口に通して、灯具ホルダー２内で回転部材７の第２の通孔１１の真上に位置させるとともに、灯具下端部２１ａに取付けられた係止ばね３１を、灯具ホルダー２が備えた回転部材７の一対のばね受け部１０に上方から正対するように位置合わせする。この状態のまま、灯具２１を下降させて、灯具下端部２１ａを第２の通孔１１およびこの下側の第１の通孔６に上方から挿入させる。
【００４０】
それにより、係止ばね３１がその当接部３３を先頭にして下方のばね受け部１０内に挿入される。この挿入において、係止ばね３１のばね部３４に形成された係止部３６の斜状部位３６ａが、ばね受け部１０の押上げストッパ１５と接触しつつ下降するので、それに伴いばね部３４が灯具２１に寄る方向に弾性変形しながら押上げストッパ１５を下方に乗り越える。
【００４１】
この乗り越え直後に、係止ばね３１の当接部３３がばね受け部１０の落ち止めストッパ１６に上方から当たって受止められる。これと同時に、ばね部３４が自由状態に戻る方向に弾性復帰するので、係止部３６が孔１０ａに入り込んで、この係止部３６の引っ掛かり部位３６ｂが押上げストッパ１５にその下側から至近距離で対向する位置に配置される。これとともに、係止ばね３１の逆傾斜部位３６ｃと操作端部３５とがなした角γが押上げストッパ１５の角１５ｃに弾性的に押当たって保持される。このため、係止部３６と押上げストッパ１５との間に後述のギャップＧが形成されるにも拘わらず、灯具２１の灯具ホルダー２への取付け状態が安定し、ギャップＧを原因として灯具２１が振動等でがたつかないようにできる。
【００４２】
以上の手順により灯具ホルダー２を上下方向に貫通して上下に相連続した第１の通孔６及び第２の通孔１１に、その上方から灯具下端部２１ａを挿入して、灯具２１が灯具ホルダー２に取付けられた状態は図４に示される。
【００４３】
この状態では、係止ばね３１の操作端部３５がばね取付け部１０に対して押上げストッパ１５より上方に突出される。更に、押上げストッパ１５と引っ掛かり部位３６ｂとは例えば略平行な位置関係を持って、相互間にギャップＧを形成して至近距離で対向する。このギャップＧは、逆傾斜部位２６ｃの長さや角度等によって、操作端部３５を操作した時に押上げストッパ１５に引っ掛かり部位３６ｂが当たらないように設定されている。又、灯具２１が灯具ホルダー２に取付けられた状態では、係止ばね３１の幅方向両端がばね受け部１０の回り止め１４に接するように係止ばね３１が配置される。この配置状態は図３に示される。したがって、ばね受け部１０に対して係止ばね３１はねじ４１を中心に回ることがないように保持されるため、灯具２１が取付けられた状態では、ねじ４１を中心にして灯具２１のみが回転可能である。
【００４４】
灯具２１自体やその光源２２の交換等のために灯具ホルダー２から灯具２１を取外す手順を説明する。
【００４５】
まず、枠部材４の開口を通して灯具ホルダー２の内部に手を入れて、押上げストッパ１５よりも上方に突出されている一対の係止ばね３１の操作端部３５を、これらが互いに近づく方向に操作して灯具ユニットを手で掴む。それにより、ばね部３４に形成された係止部３６の引っ掛かり部位３６ｂを押上げストッパ１５から外すことができる。
【００４６】
この場合、ギャップＧの存在により、引っ掛かり部位３６ｂ（より具体的には引っ掛かり部位３６ｂと斜状部位３６ａとがなす角）が、押上げストッパ１５に当たって灯具２１の取外し操作に支障をきたすことがない。
【００４７】
次に、この状態のまま、引き続いて灯具２１を引き上げることにより、灯具２１を、第１の通孔６及び第２の通孔１１から抜き出して、灯具ホルダー２から外すことができる。
【００４８】
図５に示すように照明装置１が組立てられた状態では、既述のように灯具２１が灯具ホルダー２の第１の通孔６及び第２の通孔１１に上方から挿入して係止ばね３１を介して取外し可能に灯具ホルダー２に保持されている。この状態で、例えば光の照射方向を任意方向に調節するには、第１の通孔６に挿入されている灯具下端部２１ａを照明装置１の正面板３の下側から操作すればよい。この場合、灯具２１を回転部材７とともに正面板３に対して回転させる操作、及び灯具下端部２１ａを正面板３の下側からねじ４１を中心にして傾ける操作の少なくとも一方が実行される。
【００４９】
ところで、以上のような光照射方向の調節の際には灯具２１に上向きの力が作用することがある。又、地震時等においても灯具２１に上向きの力が作用することがある。
【００５０】
こうした力によって灯具２１が上昇される場合、前記ギャップＧ相当分だけ灯具２１が僅かに上昇すると、直ちに、係止部３６の引っ掛かり部位３６ｂが灯具ホルダー２の押上げストッパ１５に下方から引っ掛かる。この引っ掛かり状態において、押上げストッパ１５及び引っ掛かり部位３６ｂは略平行な水平状をなしているので、既述の上向きの力によって係止ばね３１のばね部３４が弾性変形することが妨げられる。つまり、押上げストッパ１５から引っ掛かり部位３６ｂが外れることを許す方向へのばね部３６の弾性変形が妨げられる。これにより、灯具２１が取付けられている係止ばね３１が灯倶ホルダー２のばね受け部１０から外れる恐れがないので、灯倶２１が不用意に外れて脱落する恐れを解消できる。
【００５１】
しかも、既述のように灯具２１を傾ける操作時に、灯具２１が若干上昇することがあっても、それ以上、上方に押し動かされることがなくなり、灯具２１の灯具ホルダー２への取付け状態が安定するので、この条件下で、灯具２１の傾き操作を容易にできる。
【００５２】
更に、万が一、係止ばね３１による灯具２１の灯具ホルダー２への取付け状態が解消された場合には、この直後に灯具２１が落下しようとする。しかし、それに伴い、係止ばね３１の当接部３３がばね受け部１０の落ち止めストッパ１６に上方から当たって、この落ち止めストッパ１６で再度受止められる蓋然性が高い。そのため、灯具２１が、灯具ホルダー２の通孔、つまり、上下に連通した第２の通孔１１及び第１の通孔６を通って脱落する恐れがない。
【００５３】
なお、正面板３が天井裏に設置された枠部材４にＶばね等によって取付けられて、正面板３を枠部材４の下方から着脱可能に設けた照明装置１とした場合には、枠部材４が天井裏に設置されたままの状態でその下側から正面板３を外すことができる。この正面板３の裏側には既述のように灯具２１等が取付けられている。したがって、この照明装置１では、建物の床面近くで既述の灯具取外し手順と同様な手順、すなわち、簡単に述べれば、一対の係止ばね３１の操作端部３５を互いに近づく方向に操作して、引っ掛かり部位３６ｂを押上げストッパ１５から外し、そのまま灯具２１を引き上げることにより、正面板３の裏側から灯具２１を外すことができる。又、この逆の手順により、床面近くで灯具２１を正面板３に対しその上方から挿入して正面板３の裏側に取付けた後に、正面板３を枠部材４に対して下方から取付けることによって、照明器具１を組立てることができる。
【図面の簡単な説明】
【００５４】
【図１】本発明の一実施形態に係る照明装置を示す斜視図。
【図２】図１の照明装置を示す断面図。
【図３】図１の照明装置が備える灯具を示す斜視図。
【図４】図１の照明装置の灯具保持部分を拡大して示す断面図。
【図５】図４の灯具保持部分を分解して示す断面図。
【図６】(ａ)は図１の照明装置の灯具に取付けられた係止ばねの裏面図。（ｂ）は同係止ばねの側面図。（Ｃ）は同係止ばねの正面図。
【符号の説明】
【００５５】
１…照明装置、２…灯具ホルダー、３…正面板、４…枠部材、６…第１の通孔、１０…ばね受け部、１１…第２の通孔、１４…回り止め、１５…押上げストッパ、１５ｂ…押上げストッパの下面、１５ｃ…押上げストッパの角、１６…落ち止めストッパ、２１…灯具、２１ａ…灯具下端部、２５…ばね取付け部、３１…係止ばね、３２…取付けベース、３３…当接部、３４…ばね部、３４ａ…孔、３５…操作端部、３６…係止部、３６ａ…斜状部位、３６ｂ…引っ掛かり部位、３６ｃ…逆傾斜部位、４１…ねじ（取付け具）、α…鈍角，β…鋭角、γ…角、Ｇ…ギャップ
【図１】
2007335316.tif 000003
【図２】
2007335316.tif 000004
【図３】
2007335316.tif 000005
【図４】
2007335316.tif 000006
【図５】
2007335316.tif 000007
【図６】
2007335316.tif 000008